(57)【要約】【課題】撮像装置付き携帯電話機の撮像機能の充実させて、ユーザの満足度の向上を図る。【解決手段】携帯電話機１のカメラボタン１２ａが押下されると、表示部１３に撮影モード設定画面が表示されて、夜景ポートレート、ストロボ発光、赤目防止、撮影最優先、又は風景等の各種撮影モードの設定内容がユーザにより選択可能に表示される。また、ユーザにより設定された内容に基づく被写体の撮影を可能とし、撮影結果表示画面が表示部１３に表示され、撮影した画像が記憶部１５に記憶される。【選択図】      図３
2004166129.tif 000002
【特許請求の範囲】
【請求項１】
被写体を撮像する撮像装置と、
前記被写体に対してストロボ光を発光する発光手段と、
前記発光手段によるストロボ光の発光に関する設定を入力する入力手段と、
前記入力手段により入力された設定を表示する表示手段と、
前記入力手段により入力された設定に従って前記発光手段を制御し、前記撮像装置による撮像時にストロボ光の発光を常時ＯＮ、常時ＯＦＦ、又は自動ＯＮ／ＯＦＦとすることを特徴とする撮像装置付き携帯電話機。
【請求項２】
前記前記入力手段は、スローシンクロモードで前記被写体を撮像する設定を入力し、
前記制御手段は、前記入力手段によりスローシンクロモードで前記被写体を撮像する設定が入力されると、前記撮像装置を制御してシャッタ開放時間を通常よりも延長して前記被写体を撮像させるとともに、前記発光手段を制御して前記撮像装置による撮像処理の終了直前にストロボ光を発光させることを特徴とする請求項１記載の撮像装置付き携帯電話機。
【請求項３】
前記入力手段は、赤目防止モードで前記被写体を撮像する設定を入力し、
前記制御手段は、前記入力手段により赤目防止モードで前記被写体を撮像する設定が入力されると、前記発光手段を制御してストロボ光を複数回発光させ、前記撮像装置を制御して前記発光手段による最後のストロボ光発光と同時に前記被写体を撮像させることを特徴とする請求項１又は２記載の撮像装置付き携帯電話機。
【請求項４】
前記制御手段は、前記発光手段を制御してストロボ光を複数回発光させる場合に、最後のストロボ光発光における光量が最も多くなるように制御することを特徴とする請求項３記載の撮像装置付き携帯電話機。
【請求項５】
前記入力手段は、撮像処理最優先モードで前記被写体を撮像する設定を入力し、
前記制御手段は、前記入力手段により前記撮像処理最優先モードで前記被写体を撮像する設定が入力されると、撮像処理の実行中に該撮像処理を中断する他の処理の実行を禁止又は延期することを特徴とする請求項１〜４の何れか一項に記載の撮像装置付き携帯電話機。
【請求項６】
前記表示手段は、前記入力手段により入力された設定を示すアイコンを表示し、
前記制御手段は、前記表示手段の画面に一度に表示させる前記アイコンの数、前記アイコンの表示位置、前記アイコンの表示サイズを変更することを特徴とする請求項１〜５の何れか一項に記載の撮像装置付き携帯電話機。
【請求項７】
前記入力手段は、前記表示手段に前記アイコンを表示させるためのボタンを備え、
前記制御手段は、前記ボタンが押下されると、前記表示手段に前記アイコンを表示させることを特徴とする請求項６記載の撮像装置付き携帯電話機。
【発明の詳細な説明】
【０００１】
【発明の属する技術分野】
本発明は、撮像装置付き携帯電話機に関する。
【０００２】
【従来の技術】
近時、通信端末機として携帯電話機やＰＨＳ（Ｐｅｒｓｏｎａｌ  Ｈａｎｄｙｐｈｏｎｅ  Ｓｙｓｔｅｍ）等の普及が著しく、多機能化が進んでいる。多機能化の一例として、例えば撮像機能を備えた携帯電話機が発明されている（例えば、特許文献１参照）。これにより、ユーザは携帯電話機とカメラの２台の端末を携帯しなくても電話機能と撮像機能を利用できるようになった。
【０００３】
また、現在、単に被写体を撮影するのみならず、ストロボ発光機能、ズーム機能、静止画像及び動画像の撮像機能等を備えた撮像装置付き携帯電話機が市販されている。
【０００４】
【特許文献１】
特開２０００−１９７０２６号公報（第２−３頁、第１図）
【０００５】
【発明が解決しようとする課題】
しかしながら、従来の撮像装置付き携帯電話機は、例えば市販のデジタルカメラと比較した場合に、ユーザが設定できる撮像機能が少なく、ユーザは必ずしも満足のいく撮像を実行できるとは限らなかった。そこで、撮像機能を充実させ、ユーザの満足度の向上を図ることが求められていた。
【０００６】
本発明の課題は、撮像機能を充実させてユーザの満足度の向上を図る撮像装置付き携帯電話機を提供することである。
【０００７】
【課題を解決するための手段】
上記課題を解決するために、請求項１記載の発明は、
撮像装置付き携帯電話機において、
被写体を撮像する撮像装置と、
前記被写体に対してストロボ光を発光する発光手段と、
前記発光手段によるストロボ光の発光に関する設定を入力する入力手段と、
前記入力手段により入力された設定を表示する表示手段と、
前記入力手段により入力された設定に従って前記発光手段を制御し、前記撮像装置による撮像時にストロボ光の発光を常時ＯＮ、常時ＯＦＦ、又は自動ＯＮ／ＯＦＦとすることを特徴としている。
【０００８】
請求項１記載の発明によれば、ストロボ光の発光に関する設定を行うことが可能となる。これにより、撮像装置付き携帯電話機の撮像機能を充実させ、ユーザの満足度の向上を図ることができる。
【０００９】
請求項２記載の発明は、請求項１記載の発明において、
前記前記入力手段は、スローシンクロモードで前記被写体を撮像する設定を入力し、
前記制御手段は、前記入力手段によりスローシンクロモードで前記被写体を撮像する設定が入力されると、前記撮像装置を制御してシャッタ開放時間を通常よりも延長して前記被写体を撮像させるとともに、前記発光手段を制御して前記撮像装置による撮像処理の終了直前にストロボ光を発光させることを特徴としている。
【００１０】
請求項２記載の発明によれば、スローシンクロモードによって、例えば夜景と人物等の被写体を同時に鮮明に撮像することができる。
【００１１】
請求項３記載の発明は、請求項１又は２記載の発明において、
前記入力手段は、赤目防止モードで前記被写体を撮像する設定を入力し、
前記制御手段は、前記入力手段により赤目防止モードで前記被写体を撮像する設定が入力されると、前記発光手段を制御してストロボ光を２回発光させ、前記撮像装置を制御して前記発光手段による２回目のストロボ光発光と同時に前記被写体を撮像させることを特徴としている。
【００１２】
請求項３記載の発明によれば、赤目の発生を防止して撮像の失敗を防ぐことができる。
【００１３】
請求項４記載の発明は、請求項３記載の発明において、
前記制御手段は、前記発光手段を制御してストロボ光を複数回発光させる場合に、最後のストロボ光発光における光量が最も多くなるように制御することを特徴としている。
【００１４】
請求項４記載の発明によれば、赤目の発生を防止するとともに、鮮明な画像を撮像することができる。
【００１５】
請求項５記載の発明は、請求項１〜４の何れか一項に記載の発明において、
前記入力手段は、撮像処理最優先モードで前記被写体を撮像する設定を入力し、
前記制御手段は、前記入力手段により前記撮像処理最優先モードで前記被写体を撮像する設定が入力されると、撮像処理の実行中に該撮像処理を中断する他の処理の実行を禁止又は延期することを特徴としている。
【００１６】
請求項５記載の発明によれば、撮像処理が他の処理によって中断されることがなく、好適な撮像機会を逃すことなく被写体を撮像することができる。
【００１７】
請求項６記載の発明は、請求項１〜４の何れか一項に記載の発明において、
前記表示手段は、前記入力手段により入力された設定を示すアイコンを表示し、
前記制御手段は、前記表示手段の画面に一度に表示させる前記アイコンの数、前記アイコンの表示位置、前記アイコンの表示サイズを変更することを特徴としている。
【００１８】
請求項６記載の発明によれば、撮像に関する設定を示すアイコンを表示手段に表示させて設定を行いやすくするとともに、アイコンの表示方法を変更して見やすく表示させることができる。
【００１９】
請求項７記載の発明は、請求項６記載の発明において、
前記入力手段は、前記表示手段に前記アイコンを表示させるためのボタンを備え、
前記制御手段は、前記ボタンが押下されると、前記表示手段に前記アイコンを表示させることを特徴としている。
【００２０】
請求項７記載の発明によれば、簡単な操作で撮像の設定を示すアイコンを表示手段に表示させることができ、撮像モードの設定作業を簡略化することができる。
【００２１】
【発明の実施の形態】
以下、図を参照して本発明の実施の形態を詳細に説明する。
【００２２】
＜携帯電話機１の構成＞
図１は、本発明を適用した撮像装置付き携帯電話機（以下、携帯電話機と略記する。）の外観構成を示す図である。図１に示すように、携帯電話機１は、第１の筐体１０ａ及び第２の筐体１０ｂが結合部１０ｃにより開閉可能に連結されて形成された折り畳み形状を有している。図１（ａ）は携帯電話機１の開状態を示す図であり、図１（ｂ）はその閉状態を示す図である。
【００２３】
図１（ａ）に示すように、折り畳み時に内側になる面には、後述する入力部１２及び表示部１３が配設されている。入力部１２には、カメラボタン１２ａ及び機能キー１２ｂ等が設けられている。また、図１（ｂ）に示すように、折り畳み時に外側になる面（以下、背面という。）には、後述するストロボ部１６及び撮影部１７が設けられている。図１（ａ）及び図１（ｂ）に示すように、携帯電話機１の上部にはアンテナ１４ａが配設されている。また、図示しないが、第２の筐体１０ｂの背面には、充電パック等の充電制御部１８が設けられている。
【００２４】
図２は、図１の携帯電話機１の機能的構成を示すブロック図である。図２に示すように、携帯電話機１は、制御部１１、入力部１２、表示部１３、アンテナ１４ａを有する無線通信部１４、記憶部１５、ストロボ部１６、撮影部１７、電源制御部１８、送受話部１９等を備えて構成され、各部はバス２０により接続されている。
【００２５】
制御部１１は、ＣＰＵ（Ｃｅｎｔｒａｌ  Ｐｒｏｃｅｓｓｉｎｇ  Ｕｎｉｔ）１１ａ、書き換え可能な半導体素子で構成されるＲＡＭ（Ｒａｎｄｏｍ  Ａｃｃｅｓｓ  Ｍｅｍｏｒｙ）１１ｂ、不揮発性の半導体メモリで構成されるＲＯＭ（Ｒｅａｄ  Ｏｎｌｙ  Ｍｅｍｏｒｙ）１１ｃ等から構成されている。ＲＯＭ１１ｃには、携帯電話機１の基本動作制御プログラム、通信処理プログラム、撮影制御処理プログラム、図３〜図５に示す画面や図示しないメイン画面の表示用データ、撮影に関するパラメータデータ（自動撮影用のデフォルトの設定データ、プレビュー撮影用のデフォルトの設定データ）等が記憶されている。
【００２６】
ＣＰＵ１１ａは、入力部１２から入力される各種指示又は無線通信部１４から入力されるデータに従って、ＲＯＭ１１ｃに記録されている各種プログラムの中から指定されたプログラムをＲＡＭ１１ｂのワークエリアに展開し、この入力指示及び入力データにより上記プログラムに従って各種処理を実行し、その処理結果をＲＡＭ１１ｂの所定の領域に格納するとともに、表示部１３に表示させる。例えば、ＣＰＵ１１ａは、ＲＯＭ１１ｃに記憶された撮影制御処理プログラムを読み出してＲＡＭ１１ｂに展開し、このプログラムとの協働により後述する撮影制御処理を実行する。
【００２７】
入力部１２は、テンキー、各種機能スイッチ、通話モード及びカメラモードの切り替えを行うモード切替スイッチ、カメラボタン１２ａ、機能キー１２ｂ等を備え、各キー及びボタン操作による押下信号を制御部１１に出力する。カメラボタン１２ａは、撮影に関する設定したり撮影を実行するためのボタンであり、機能キー１２ｂは、表示部１３に表示されたボタンやアイコン等を選択して決定するためのキーである。
【００２８】
表示部１３は、ＬＣＤ（Ｌｉｑｕｉｄ  Ｃｒｙｓｔａｌ  Ｄｉｓｐｌａｙ）パネル等により構成され、制御部１１から入力される表示データに基づいて画面表示を行う。また、表示部１３は、後述する撮影部１７のによってプレビュー撮影された画像や、ユーザの指示により撮影された画像等を表示する。
【００２９】
無線通信部１４は、無線基地局（図示せず）との間で着信や発信等に係る無線信号の送受信を行うアンテナ１４ａを備え、制御部１１から入力される指示に従って、無線基地局との間でＩＭＴ−２０００準拠の通信方式（例えば、Ｗ−ＣＤＭＡやｃｄｍａ２０００）に対応する携帯電話用の通信プロトコルを実行し、この通信方式で設定される通信チャネルにより、送受話音声の送受信やデータ通信を実行する。
【００３０】
記憶部１５は、制御部１１により実行された処理結果のデータ等を記憶する。例えば、記憶部１５は、撮影部１７により撮影された画像のデータ、無線通信部１４を介して送受信したメールのデータ、通話履歴のデータ等を記憶している。
【００３１】
ストロボ部１６は、発光タイミングや発光量を調節して被写体にストロボ光を発光する。ストロボ部１６は、ストロボ光を発光させるための電荷を蓄積するコンデンサと、コンデンサを充電する充電回路と、キセノン管等からなる発光部（何れも図示せず）とを備えている。ストロボ部１６は、電源制御部１８から供給される電源の電圧がコンバータ回路で高電圧に変換され、充電回路に電流が供給されて、コンデンサに発光エネルギーとなる電荷が蓄積される。
【００３２】
撮影部１７は、ガラス又はプラスチックからなる光学レンズ、及びＣＣＤ（Ｃｈａｒｇｅ  Ｃｏｕｐｌｅｄ  Ｄｉｏｄｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の撮像素子により構成され、光学レンズを介して入力される画像を撮像素子で電気信号に変換し、画像データを生成する。また、ＣＣＤやＣＭＯＳは、周囲の光量を検出する光学センサとしての機能を有し、周囲の光量に応じた検出信号を制御部１１に出力する。
【００３３】
電源制御部１８は、例えば、リチウム電池、ニッケル電池、ニカド電池等の２次電池により構成され、電源が投入されると、制御部１１の制御に応じて、プラス側の端子及びマイナス側の端子から、携帯電話機１の各部を駆動する駆動回路に所定電圧の電源を供給する。
【００３４】
送受話部１９は、マイク、スピーカ、Ａ／Ｄ変換部、及びＤ／Ａ変換部（何れも図示せず）を有し、マイクから入力されるユーザの送話音声をＡ／Ｄ変換処理して、その送話音声データをＣＰＵ１１ａに出力するとともに、ＣＰＵ１１ａから入力される受話音声データや、着信音、操作確認音、シャッタ音等の音声データをＤ／Ａ変換処理して、スピーカから出力する。
【００３５】
以下、図３〜図５の画面表示例を参照して撮影制御処理について説明する。
携帯電話機１のユーザによってカメラボタン１２ａが押下されると、ＣＰＵ１１ａは撮影モード選択画面（図３参照）を表示部１３に表示させる。図３に示すように、撮影モード選択画面には、撮影モードのアイコンが表示されるアイコン表示欄１３０、図示しないメイン画面を表示させるための「戻る」ボタン１３１、選択中のアイコンの撮影モードを設定するための「設定ボタン」１３２、撮影モードの設定をデフォルトの設定にする「自動」ボタン１３３、撮影モードの設定内容を確定するための「ＯＫ」ボタン１３４が設けられている。
【００３６】
撮影モード設定画面において、ユーザが「ＯＫ」ボタン１３４を押下すると、ＣＰＵ１１ａは撮影部１７を制御してプレビュー撮影を行い、撮影した画像をプレビュー画面（図４参照）として表示部１３に表示させる。プレビュー画面には、プレビュー画像表示欄１４０と「撮影」ボタン１３５が設けられている。
【００３７】
プレビュー画面において、ユーザが「撮影」ボタン１３５を押下すると、ＣＰＵ１１ａは、撮影モード設定画面で設定された撮影モードに従って被写体を撮影し、撮影の結果得られた画像を撮影結果表示画面（図５参照）として表示部１３に表示させる。撮影結果表示画面には、撮影結果表示欄１５０、撮り直しを行うための「再撮影」ボタン１３６、撮影を終了してメイン画面に戻るための「終了」ボタン１３７が設けられている。
【００３８】
ここで、携帯電話機１が実行可能な撮影モードについて、図３のアイコン表示欄１３０に示すアイコンを参照して説明する。
図３に示すように、携帯電話機１は、例えば夜景ポートレートモード、ストロボ発光モード、赤目防止モード、撮影最優先モード、風景モード等を使用して被写体を撮影する機能を有する。なお、撮影モードの種類は図３に例示するモードに限定されるものではない。
【００３９】
夜景ポートレートモードは、夜景と人物を鮮明に撮影するモードであり、シャッタ開放時間を通常の撮影時よりも長く取り、撮影終了の直前にストロボを発光させる撮影方法であり、スローシンクロモードとも呼ばれる。
【００４０】
ストロボ発光モードは、ストロボ光をどのような場合に発光させるかを設定するためのモードであり、撮影部１７の光学センサにより検出された周囲の光量を予め決められた閾値と比較した結果に応じて自動的にストロボ発光のＯＮ／ＯＦＦを決定する「自動」、撮影する毎にストロボを発光する「常時ＯＮ」、ストロボ発光を禁止する「常時ＯＦＦ」に設定することができる。
【００４１】
赤目防止モードは、暗所でストロボを発光させて撮影する際に瞳孔が赤く写る現象を防止するモードである。赤目防止モードをＯＮに設定すると、ｃｐｕ１１ａから入力される指示に従い、ストロボ部１６は撮影時及び撮影前に被写体に対してストロボ光を複数回発光させる。例えば、ストロボ部１６は、ストロボ光を連続的に複数回発光した後、本発光する。本発光とは、撮影部１７による撮影と同時に行われる発光であり、それ以前の補助的な発光よりも光量を多くすることが望ましい。
【００４２】
撮影最優先モードは、撮影処理中において、撮影処理を中断しうる処理を禁止又は延期するモードである。従来の携帯電話機では、撮影処理中に着信があると、撮影処理が中断されて着信が優先される。しかしながら、本実施の形態において撮影最優先モードをＯＮに設定すると、着信よりも撮影処理を優先して、撮影処理が終了するまで通話できない状態にする。例えば、撮影中に電話をかけてきた相手に対して「只今電話に出られません」というような保留のメッセージを送信したり、通話開始用のボタンからの入力データを無効にする。これにより、ユーザはシャッタチャンスを逃すことなく撮影を行うことができる。
【００４３】
風景モードは、風景を撮影するのに適したモードであり、遠くにある被写体を高解像度で撮影する。
【００４４】
＜携帯電話機１の動作＞
ここで、動作説明の前提として、図６のフローチャートに記述されている各処理を実現するためのプログラムは、携帯電話機１のＣＰＵ１１ａが読み取り可能なプログラムコードの形態でＲＯＭ１１ｃに格納されており、ＣＰＵ１１ａは、当該プログラムコードに従った動作を逐次実行する。
【００４５】
図６に、撮影制御処理を示すフローチャートを示す。図６に示す撮影制御処理において、カメラボタン１２ａが押下されたか否かが判別される（ステップＳ１）。カメラボタン１２ａが押下されない場合は（ステップＳ１；ＮＯ）待機を続け、押下された場合は（ステップＳ１；ＹＥＳ）図３の撮影モード設定画面を表示部１３に表示させる（ステップＳ２）。このステップＳ２においては、撮影モードのアイコンをユーザが見やすく、選択しやすいように、アイコンの表示間隔や各アイコンの表示サイズや表示位置が設定される。
【００４６】
なお、多数のアイコンを画面内に表示する場合は、一度に画面に表示させるアイコンの数や、画面表示を切り替えてアイコンを表示させる場合の表示サイクルをＣＰＵ１１ａが変更可能なように携帯電話機１を構成してもよい。
【００４７】
次いで、撮影モード選択画面において「戻る」ボタン１３１が押下されたか否かが判別され（ステップＳ３）、押下された場合は（ステップＳ３；ＹＥＳ）ステップＳ１６に移行し、表示部１３に図示しないメイン画面を表示させて撮影制御処理が終了する。一方、「戻る」ボタン１３１が押下されない場合は（ステップＳ３；ＮＯ）撮影モード設定画面においてアイコンが選択されて「設定」ボタン１３２が押下されたか否かが判別される（ステップＳ４）。
【００４８】
ステップＳ４において、「設定」ボタン１３２が押下されない場合は（ステップＳ４；ＮＯ）、撮影制御処理はステップＳ６に移行し、押下されると（ステップＳ４；ＹＥＳ）、選択されたアイコンの下に表示された設定内容を変更してから（ステップＳ５）、ステップＳ６に移行する。
【００４９】
ここで、ステップＳ５における設定内容の変更例について説明する。
例えば、図３において、夜景ポートレートモードのアイコンが選択されている場合、「設定」ボタン１３２が押下されると、夜景ポートレートモードのアイコンの下に表示された「ＯＮ」が「ＯＦＦ」に切り替えられる。また、この状態でもう一度「設定」ボタン１３２が押下されると、「ＯＦＦ」から「ＯＮ」に切り替えられる。また、ストロボ発光モードが選択されていた場合、「設定」ボタン１３２が押下されるごとに、「自動」、「常時ＯＮ」、「常時ＯＦＦ」と、順番に設定が切り替えられる。
【００５０】
次に、ステップＳ６において、撮影モード設置画面で「自動」ボタン１３３が押下されたか否かが判別され、押下された場合（ステップＳ６；ＹＥＳ）、ＲＯＭ１１ｃに記憶された自動撮影時のデフォルトの設定データが読み出されてＲＡＭ１１ｂに記憶され（ステップＳ７）、撮影制御処理はステップＳ１０に移行する。一方、「自動」ボタン１３３が押下されない場合（ステップＳ６；ＮＯ）、「ＯＫ」ボタン１３４が押下されたか否かの判別ステップに移る（ステップＳ８）。
【００５１】
「ＯＫ」ボタン１３４が押下されない場合（ステップＳ８；ＮＯ）、撮影制御処理はステップＳ３に戻り、押下された場合（ステップＳ８；ＹＥＳ）、図３のアイコン表示欄１３０に表示された各撮影モードの設定内容をＲＡＭ１１ｂに記憶して（ステップＳ９）、ステップＳ１０に移行する。
【００５２】
ステップＳ１０において、ＲＯＭ１１ｃに記憶されたプレビュー撮影用のデフォルトの設定データがＲＡＭ１３ｂに読み出され、撮影部１７を制御してプレビュー撮影が開始され、図４のプレビュー画面が表示部１３に表示される。次いで、「撮影」ボタン１３５が押下されたか否かが判別され（ステップＳ１１）、押下されない場合（ステップＳ１１；ＮＯ）待機を続け、押下された場合（ステップＳ１１；ＹＥＳ）、上記ステップＳ７又はステップＳ９においてＲＡＭ１１ｂに記憶された設定に従ってストロボ部１６及び撮影部１７が制御されて被写体の撮影が行われる（ステップＳ１２）。
【００５３】
続いて、図５の撮影結果表示画面が表示部１３に表示され、撮影した画像が記憶部１５に記憶される（ステップＳ１３）。次に、撮影結果表示画面で「再撮影」ボタン１３６が押下されたか否かが判別され（ステップＳ１４）、押下された場合（ステップＳ１４；ＹＥＳ）、ステップＳ１２に戻り、押下されない場合（ステップＳ１４；ＮＯ）、「終了」ボタン１３７が押下されたか否かが更に判別される（ステップＳ１５）。「終了」ボタン１３７が押下されない場合は（ステップＳ１５；ＮＯ）ステップＳ１４に戻り、押下されると（ステップＳ１５；ＹＥＳ）表示部１３にメイン画面が表示されて（ステップＳ１６）、撮影制御処理が終了する。
【００５４】
以上のように、本実施の形態における携帯電話機１は、カメラボタン１２ａが押下されると、表示部１３に撮影モード設定画面を表示させて、夜景ポートレート、ストロボ発光、赤目防止、撮影最優先、風景等の各種撮影モードの設定内容をユーザに選択させる。ＣＰＵ１１ａは、ユーザにより設定された撮影モード別の設定内容に基づいて被写体を撮影する。
【００５５】
したがって、撮影モードの設定内容を簡単に入力、設定して撮影を行うことが可能となる。また、携帯電話機１には充実した撮像機能を有するため、ユーザの満足度の向上を図ることができる。
【００５６】
なお、本実施の形態における記述内容は、本発明に係る携帯電話機１の好適な一例であり、これに限定されるものではない。例えば、上記実施の形態において例示した撮影モードの種別やアイコン以外の撮影モード及びアイコンを追加してもよい。
【００５７】
また、携帯電話機１のカメラボタン１２ａや機能キー１２ｂ等の配置等も上記実施の形態に限定されない。
【００５８】
また、携帯電話機１にストロボ部１６とは異なる補助発光手段を配設し、赤目防止モードにおいて本発光前に行われる補助的な発光を補助発光手段により実行することとしてもよい。
【００５９】
その他、本実施の形態における携帯電話機１の細部構成、及び詳細動作に関しては、本発明の趣旨を逸脱しない範囲で適宜変更可能である。
【００６０】
【発明の効果】
請求項１記載の発明によれば、ストロボ光の発光に関する設定を行うことが可能となる。これにより、撮像装置付き携帯電話機の撮像機能を充実させ、ユーザの満足度の向上を図ることができる。
【００６１】
請求項２記載の発明によれば、スローシンクロモードによって、例えば夜景と人物等の被写体を同時に鮮明に撮像することができる。
【００６２】
請求項３記載の発明によれば、赤目の発生を防止して撮像の失敗を防ぐことができる。
【００６３】
請求項４記載の発明によれば、赤目の発生を防止するとともに、鮮明な画像を撮像することができる。
【００６４】
請求項５記載の発明によれば、撮像処理が他の処理によって中断されることがなく、好適な撮像機会を逃すことなく被写体を撮像することができる。
【００６５】
請求項６記載の発明によれば、撮像に関する設定を示すアイコンを表示手段に表示させて設定を行いやすくするとともに、アイコンの表示方法を変更して見やすく表示させることができる。
【００６６】
請求項７記載の発明によれば、簡単な操作で撮像の設定を示すアイコンを表示手段に表示させることができ、撮像モードの設定作業を簡略化することができる。
【図面の簡単な説明】
【図１】本発明を適用した一実施の形態における携帯電話機１の外観構成を示す図である。
【図２】図１の携帯電話機１の機能的構成を示すブロック図である。
【図３】図２の表示部１３に表示される撮影モード選択画面を示す図である。
【図４】図２の表示部１３に表示されるプレビュー画面を示す図である。
【図５】図２の表示部１３に表示される撮影結果表示画面を示す図である。
【図６】撮影制御処理を示すフローチャートである。
【符号の説明】
１    携帯電話機
１１    制御部
１１ａ  ＣＰＵ
１１ｂ  ＲＡＭ
１１ｃ  ＲＯＭ
１２    入力部
１２ａ  カメラボタン
１２ｂ  機能キー
１３    表示部
１４    無線通信部
１４ａ  アンテナ
１５    記憶部
１６    ストロボ部
１７    撮影部
１８    電源制御部
１９    送受話部
２０    バス
【図１】
2004166129.tif 000003
【図２】
2004166129.tif 000004
【図３】
2004166129.tif 000005
【図４】
2004166129.tif 000006
【図５】
2004166129.tif 000007
【図６】
2004166129.tif 000008